【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
創傷処置システムであって、
（ａ）上面と、下面と、接着剤とを有する可撓性密封構造であって、組織外傷部の周囲を密封するように適合され、構成されている、可撓性密封構造と、
（ｂ）前記可撓性密封構造に結合された収集構造であって、前記可撓性密封構造と前記収集構造とが協働して、前記組織外傷部に連通した導管を形成し、かつ前記導管に沿って減圧を分配するように構成されている、収集構造と、
（ｃ）前記組織外傷部が減圧を受けるように前記導管と前記組織外傷部との間を連通させる通路と、を備え、
（ｄ）前記装置の少なくとも一部が、前記組織外傷部に対する張力を軽減するために前記組織に力を加え、前記装置が、前記装置が前記組織に加える力の量を制御するように構成された少なくとも１つの力制御要素をさらに備える、システム。
【請求項２】
前記力制御要素が、前記密封構造に結合された少なくとも１つの伸長制限要素を備え、前記少なくとも１つの伸長制限要素が、前記密封構造の少なくとも一部の伸長の量を制限するように構成されている、請求項１に記載のシステム。
【請求項３】
前記伸長制限要素が、前記密封構造の第１の量の伸長を許容する第１の状態から前記密封層の第２の量の伸長を許容する第２の状態に変化することができる、請求項２に記載のシステム。
【請求項４】
前記伸長制限要素が、前記第１の状態と前記第２の状態との間の中間状態に変化することができ、前記中間状態が、前記第１の量と前記第２の量との間の中間の量の伸長を許容する、請求項３に記載のシステム。
【請求項５】
前記少なくとも１つの伸長制限要素が、少なくとも１つの細長い要素を備え、前記少なくとも１つの細長い要素が、その長軸に沿って最大長さまで伸長でき、かつ制限距離を越えた前記密封構造の伸長を防止する、請求項２記載のシステム。
【請求項６】
前記可撓性密封構造が、伸長の方向とは反対方向に収縮するように構成され、前記密封構造が、前記密封構造の収縮の量を制限する少なくとも１組の収縮制限構造を備える、請求項１に記載のシステム。
【請求項７】
前記可撓性密封構造が、使用者が把持して前記密封構造に力を加えて前記密封構造を伸長させることができる複数のタブを備える、請求項１に記載のシステム。
【請求項８】
前記密封構造に取り外し可能に結合された保持構造をさらに備え、前記保持構造が、前記密封構造に結合されたときに前記密封構造を伸長した状態に維持する、請求項１に記載のシステム。
【請求項９】
前記保持構造が、前記保持構造が前記密封構造に結合されたときに前記密封構造を実質的に剛体にする一連のリブを備える、請求項８に記載のシステム。
【請求項１０】
前記保持構造を前記密封構造から取り外すことができ、前記保持構造の取り外しにより、前記密封構造が応力状態から収縮することができる、請求項８に記載のシステム。
【請求項１１】
前記密封構造に結合された送達装置をさらに備え、前記送達装置が、前記システムが組織に配置されたときに前記組織外傷部の軸に対して横断方向に向くように適合された複数の横断方向の要素を備える、請求項１に記載のシステム。
【請求項１２】
前記横断方向の要素が、前記密封構造の第１の部分を前記密封構造の第２の部分に対して変位させるように構成されている、請求項１１に記載のシステム。
【請求項１３】
前記横断方向の要素が、前記密封構造の少なくとも２つの部分を押し広げるように構成されている、請求項１２に記載のシステム。
【請求項１４】
前記装置の一部が、初めに皮膚に取り付けられたときに前記組織に力を加える、請求項１に記載のシステム。
【請求項１５】
前記送達装置が、前記複数の横断方向の要素に取り付けられた長手方向の要素をさらに備える、請求項１２に記載のシステム。
【請求項１６】
前記送達装置が、前記横断方向の要素が前記長手方向の要素に対して第１の角度である第１の構造と、前記横断方向の要素が前記長手方向の要素に対して第２の角度である第２の構造とを有する、請求項１５に記載のシステム。
【請求項１７】
前記横断方向の要素が、前記第１の構造と前記第２の構造との両方において概ね同じ平面に位置する、請求項１６に記載のシステム。
【請求項１８】
前記複数の横断方向の要素が、第１の群の横断方向の要素と、前記第１の群に対して角度を変えられるように構成されている第２の群の横断方向の要素とを備える、請求項１５に記載のシステム。
【請求項１９】
前記少なくとも１つの伸長制限要素が、前記密封層の第１の部分に取り付けられた第１の端部と、前記密封構造の第２の端部に取り付けられた第２の端部とを有する非弾性部材を備え、前記第１の端部と前記第２の端部とが、前記組織外傷部の両側に配置されるように構成されている、請求項１に記載のシステム。
【請求項２０】
前記組織が皮膚である、請求項１に記載のシステム。
【請求項２１】
前記密封構造が弾性である、請求項１に記載のシステム。
【請求項２２】
前記装置が、前記皮膚に加えられる外部の力の量を制限するように構成され、前記外部の力が、皮膚自体からの力に左右されない、請求項１に記載のシステム。
【請求項２３】
創傷処置システムであって、
（ａ）上面と、下面と、接着剤とを有する可撓性密封構造であって、組織外傷部の周囲を密封するように適合され、構成されている、可撓性密封構造と、
（ｂ）前記可撓性密封構造に結合された収集構造であって、前記可撓性密封構造と前記収集構造とが協働して、前記組織外傷部に連通した導管を形成し、かつ前記導管に沿って圧力を分配するように構成されている、収集構造と、
（ｃ）前記組織外傷部が減圧を受けるように前記導管と前記組織外傷部との間を連通させる通路と、を備え、
（ｄ）前記装置の少なくとも一部が、前記組織外傷部に対する張力を軽減するために前記組織に力を加え、前記装置が、前記装置が前記組織に加える力の量を制御するように構成された少なくとも１つの力制御要素をさらに備え、前記力制御要素が、前記密封構造に結合された少なくとも１つの伸長制限要素を備え、前記少なくとも１つの伸長制限要素が、前記密封構造の少なくとも一部の伸長の量を制限するように構成されている、システム。
【請求項２４】
前記伸長制限要素が、前記密封構造の第１の量の伸長を許容する最初の状態から前記密封構造の第２の量の伸長を許容する第２の状態に変化することができる、請求項２３に記載のシステム。
【請求項２５】
前記伸長制限要素が、前記第１の状態と前記第２の状態との間の中間状態に変化することができ、前記中間状態が、前記第１の量と前記第２の量との間の中間の量の伸長を許容する、請求項２４に記載のシステム。
【請求項２６】
前記少なくとも１つの伸長制限要素が、少なくとも１つの細長い要素を備え、前記少なくとも１つの細長い要素が、その長軸に沿って最大長さまで伸長でき、かつ制限距離を越えた前記密封構造の伸長を防止する、請求項２３に記載のシステム。
【請求項２７】
前記可撓性密封構造が、伸長の方向とは反対方向に収縮するように構成され、前記密封構造が、前記密封構造の収縮の量を制限する少なくとも１組の収縮制限構造を備える、請求項２３に記載のシステム。
【請求項２８】
前記可撓性密封構造が、使用者が把持して前記密封構造に力を加えて前記密封構造を伸長させることできる複数のタブを備える、請求項２３に記載のシステム。
【請求項２９】
前記密封構造に取り外し可能に結合された保持構造をさらに備え、前記保持構造が、前記密封構造に結合されたときに前記密封構造を伸長した状態に維持する、請求項２３に記載のシステム。
【請求項３０】
前記保持構造が、前記保持構造が前記密封構造に結合されたときに前記密封構造を実質的に剛体にする一連のリブを備える、請求項２９に記載のシステム。
【請求項３１】
前記保持構造を前記密封構造から取り外すことができ、前記保持構造の取り外しにより、前記密封構造が応力状態から収縮することができる、請求項２９に記載のシステム。
【請求項３２】
前記密封構造に結合された送達装置をさらに備え、前記送達装置が、前記システムが組織に配置されたときに前記組織外傷部の軸に対して横断方向に向くように適合された複数の横断方向の要素を備える、請求項２３に記載のシステム。
【請求項３３】
前記横断方向の要素が、前記密封構造の第１の部分を前記密封構造の第２の部分に対して変位させるように構成されている、請求項３２に記載のシステム。
【請求項３４】
前記横断方向の要素が、前記密封構造の少なくとも２つの部分を押し広げるように構成されている、請求項３３に記載のシステム。
【請求項３５】
前記横断方向の要素が、硬質の横断方向の要素である、前請求項３０に記載のシステム。
【請求項３６】
前記送達装置が、前記複数の横断方向の要素に取り付けられた長手方向の要素をさらに備える、請求項２３に記載のシステム。
【請求項３７】
前記少なくとも１つの伸長制限要素が、前記密封層の第１の部分に取り付けられた第１の端部と、前記密封構造の第２の端部に取り付けられた第２の端部とを有する非弾性部材を備え、前記第１の端部と前記第２の端部とが、前記組織外傷部の両側に配置されるように構成されている、請求項２３に記載のシステム。
【請求項３８】
前記組織が皮膚である、請求項２３に記載のシステム。
【請求項３９】
前記密封構造が弾性である、請求項２３に記載のシステム。